(57)【要約】  金属空気電池は、キャニスタと、キャニスタ内に配設された螺旋に巻回された電極組立体と、を含む。電極組立体は、イオン透過性の且つ実質的にガス不透過性のアノードと、触媒カソードと、アノードとカソードの間に配設された誘電性セパレータと、を含む。【選択図】図１Ａ
2015525457.tif 000002
【特許請求の範囲】
【請求項１】
金属空気電池において、
キャニスタと、
前記キャニスタ内に配設され、且つ、アノードバルクマトリクスと、触媒カソードと、前記アノードバルクマトリクスと前記カソードの間に配設されたセパレータと、前記カソードに隣接したガス拡散層と、を含む螺旋に巻回された電極組立体であって、前記アノードバルクマトリクスは、前記アノードバルクマトリクス内において空隙を規定する表面エリアを有する活物質と、前記表面エリア上の非多孔性被覆と、を含み、且つ、前記非多孔性被覆は、水であると共に、水酸化物イオン透過性と、実質的に活性金属イオン及びガス不透過性である、電極組立体と、
を有することを特徴とする電池。
【請求項２】
請求項１に記載の電池において、前記アノードバルクマトリクスと接触している集電器を更に有することを特徴とする電池。
【請求項３】
請求項１に記載の電池において、前記アノードバルクマトリクスは、伝導性添加物を更に含むことを特徴とする電池。
【請求項４】
請求項３に記載の電池において、前記伝導性添加物は、伝導性ファイバ、伝導性ナノチューブ、グラファイト粉、金属粉、伝導性ポリマー、金属ウィスカー、圧縮された金属ファイバ、金属フェルト、又は炭素フェルトであることを特徴とする電池。
【請求項５】
請求項１に記載の電池において、前記非多孔性被覆は、ポリマー又は金属酸化物であることを特徴とする電池。
【請求項６】
請求項１に記載の電池において、前記活物質は、金属であることを特徴とする電池。
【請求項７】
請求項１に記載の電池において、前記キャニスタは、ガスがそれを通じて流れることを許容するように構成されていることを特徴とする電池。
【請求項８】
請求項７に記載の電池において、前記キャニスタは、前記電極組立体内への前記ガスの略均一な流れを促進するように構成されていることを特徴とする電池。
【請求項９】
請求項７に記載の電池において、前記キャニスタは、前記電極組立体内への前記ガスの略均一な流れを促進するように構成された複数の通路を規定する表面を有する端部部分を有することを特徴とする電池。
【請求項１０】
請求項７に記載の電池において、前記電極組立体は、端部部分を含み、且つ、前記キャニスタは、前記電極組立体の前記端部部分の近傍における前記ガスの渦巻く流れを促進するように構成された複数のダクトを規定する表面を含む前記電極組立体の前記端部部分に隣接した端部部分を有することを特徴とする電池。
【請求項１１】
請求項７に記載の電池において、前記キャニスタは、加圧されたガスの供給源に対して流体接続されるように構成されていることを特徴とする電池。
【請求項１２】
請求項１に記載の電池において、前記キャニスタ内に配設された酸素リザーバを更に有することを特徴とする電池。
【請求項１３】
請求項１に記載の電池において、前記セパレータは、誘電性を有することを特徴とする電池。
【請求項１４】
金属アノードにおいて、
金属集電器と、
前記集電器との電気的接触状態にあり、且つ、（ｉ）互いに電気的接触状態にある金属粒子と、（ｉｉ）酸素に対する前記金属粒子の曝露が低減されると共に前記金属粒子及びその副産物の相対運動が制約されるように、それぞれの前記金属粒子の少なくとも一部分を取り囲む水酸化物イオン透過性の且つ実質的に活性金属イオン及びガス透過性の外皮と、を含む伝導性マトリクスと、
を有することを特徴とするアノード。
【請求項１５】
請求項１４に記載の金属アノードにおいて、前記伝導性マトリクスは、前記金属粒子の一部分と接触しているか又はそれらに埋め込まれた伝導性添加物を更に有することを特徴とする金属アノード。
【請求項１６】
請求項１５に記載の金属アノードにおいて、前記伝導性添加物は、伝導性ファイバ、伝導性ナノチューブ、グラファイト粉、金属粉、伝導性ポリマー、金属ウィスカー、圧縮された金属ファイバ、金属フェルト、又は炭素フェルトであることを特徴とする金属アノード。
【請求項１７】
請求項１４に記載の金属アノードにおいて、前記外皮は、ポリマー又は金属酸化物であることを特徴とする金属アノード。
【請求項１８】
電極組立体において、
金属集電器と、前記集電器との電気的接触状態にある伝導性マトリクスと、を含むアノードであって、前記伝導性マトリクスは、互いに電気的接触状態にある金属粒子と、酸素に対する前記金属粒子の曝露が低減されると共に前記金属粒子及びその副産物の相対運動が制約されるように、それぞれの前記金属粒子の少なくとも一部分を取り囲む水酸化物イオン透過性の且つ実質的に活性金属イオン及びガス不透過性のスキンと、を含む、アノードと、
触媒カソードと、
前記アノードと前記カソードの間に配設されたセパレータと、
前記カソードに隣接したガス拡散層と、
を有することを特徴とする電極組立体。
【請求項１９】
請求項１８に記載の電極組立体において、前記伝導性マトリクスは、前記金属粒子の一部分と接触しているか又はそれらに埋め込まれた伝導性添加物を更に有することを特徴とする電極組立体。
【請求項２０】
請求項１９に記載の電極組立体において、前記伝導性添加物は、伝導性ファイバ、伝導性ナノチューブ、グラファイト粉、金属粉、伝導性ポリマー、金属ウィスカー、圧縮された金属ファイバ、金属フェルト、又は炭素フェストであることを特徴とする電極組立体。
【請求項２１】
請求項１８に記載の電極組立体において、前記スキンは、ポリマー又は金属酸化物であることを特徴とする電極組立体。
【請求項２２】
請求項１８に記載の電極組立体において、前記アノードは、前記セパレータとの接触状態にあり、前記カソードは、前記セパレータとの接触状態にあり、且つ、前記ガス拡散層は、前記カソードと接触していることを特徴とする電極組立体。
【請求項２３】
請求項１８に記載の電極組立体において、前記セパレータは、誘電性を有することを特徴とする電極組立体。
【発明の詳細な説明】
【技術分野】
【０００１】
本開示は、金属空気電池及びその内部電極に関する。
【背景技術】
【０００２】
金属空気電池は、酸素によって金属を酸化させることによって電流を生成する電気化学反応器である。これらの反応器は、高エネルギー密度を有することが可能であり、且つ、相対的に低廉に製造することができる。補聴器又はカメラに電力供給するための小さいものから、車両に電力供給するための大きなものまで、様々なサイズが可能である。
【０００３】
所定質量の金属により、電解質によって充填された多孔性アノードを形成することができる。放電の際に、酸素がカソードにおいて反応してヒドロキシルイオンを形成し、これらのヒドロキシルイオンは、金属／電解質ペースト内に移動して金属水酸化物を形成し、これにより、カソードまで移動するべく電子を放出する。金属水酸化物は、金属酸化物に崩壊し、且つ、その結果得られる水は、電解質に戻る。アノードからの水とヒドロキシル基は、カソードにおいてリサイクルされ、従って、水は消費されない。逆のプロセスも発生可能である。充電の際に、電子が金属酸化物と反応して金属を再形成し、これにより、カソードに移動するヒドロキシルイオンを放出する。次いで、ヒドロキシルイオンは、酸素ガスと水に酸化される。
【発明の概要】
【０００４】
金属空気電池は、キャニスタと、キャニスタ内に配設された螺旋に巻回された電極組立体と、を含む。電極組立体は、イオン透過性の且つ実質的にガス不透過性のアノードと、触媒カソードと、アノードとカソードの間に配設された誘電性セパレータと、カソードに隣接したガス拡散層と、を含む。
【０００５】
金属アノードは、金属集電器と、集電器との電気的接触状態にある伝導性マトリクスと、を含む。伝導性マトリクスは、互いに接触状態にある金属粒子と、酸素に対する金属粒子の曝露が低減されると共に金属粒子及びその副産物の相対運動が制約されるように、それぞれの金属粒子の少なくとも一部分を取り囲むガス不透過性の且つ選択的にイオン伝導性の外皮と、を含む。
【０００６】
電極組立体は、アノードと、触媒カソードと、アノードとカソードの間に配設された誘電性セパレータと、カソードに隣接したガス拡散層と、を含む。アノードは、金属集電器と、集電器との電気的接触状態にある導電性マトリクスと、を含む。伝導性マトリクスは、互いに電気的接触状態にある金属粒子と、酸素に対する金属粒子の曝露が低減されると共に金属粒子及びその副産物の相対運動が制約されるように、それぞれの金属粒子の少なくとも一部分を取り囲むガス不透過性の且つイオン伝導性のスキンと、を含む。
【図面の簡単な説明】
【０００７】
【図１Ａ】図１Ａは、放電サイクルの３つの異なる時点のうちの一時点における電極組立体の側断面図である。
【図１Ｂ】図１Ｂは、放電サイクルの３つの異なる時点のうちの別の時点における電極組立体の側断面図である。
【図１Ｃ】図１Ｃは、放電サイクルの３つの異なる時点のうちの別の時点における電極組立体の側断面図である。
【図２】図２は、金属空気電池の各部分の側断面図である。
【図３】図３は、金属空気電池の各部分の側断面図である。
【図４】図４は、図２の金属空気電池の端面図である。
【図５】図５は、その他の金属空気電池の端面図である。
【図６】図６は、その他の金属空気電池の端面図である。
【図７】図７は、図６の金属空気電池の一部分の側断面図である。
【図８】図８は、金属空気電池システムのブロックダイアグラムである。
【発明を実施するための形態】
【０００８】
以下、本開示の実施形態について説明する。但し、開示されている実施形態は、例に過ぎず、且つ、その他の実施形態は、様々な代替形態をとり得ることを理解されたい。図は、必ずしも縮尺が正確ではなく、いくつかの図の特徴は、特定のコンポーネントの詳細を示すべく、誇張又は極小化されている場合があろう。従って、本明細書において開示されている特定の構造的且つ機能的な詳細は、限定を意味するものではなく、本発明を様々に利用するように当業者に対して教示するための代表的な基礎に過ぎないものと解釈されたい。当業者であれば、添付図面のうちの任意の図面を参照して図示及び説明されている様々な特徴を１つ又は複数のその他の図面に示されている特徴と組み合わせることにより、明示的に図示又は説明されてはない実施形態を生成することができることを理解するであろう。図示されている特徴の組合せは、通常用途用の代表的な実施形態を提供する。但し、本開示の教示内容と一貫性を有する特徴の様々な組合せ及び変更は、特定の用途又は実装において望ましいものとなろう。
【０００９】
水性アルカリ金属空気電池のアノードは、酸素に曝露した際に腐食する可能性がある。この腐食は、アノードの寿命に影響を及ぼす可能性があり、且つ、水が存在する場合に、水素の放出を結果的にもたらす可能性がある。更には、フラットプレート型の金属空気電池の大量生産は、しばしば、取扱いの複雑性、広範囲な封止要件、及び小さな表面対容積比に起因し、高価である。螺旋に巻回された金属空気電池電極組立体は、製造費用を低減することが可能であり、且つ、電極インターフェイスと電極表面積の間の表面対容積比を改善することができる。但し、この表面対容積比の改善は、酸素に対するアノードの曝露を促進する可能性があり、且つ、従って、アノードの腐食を悪化させる可能性がある。本明細書において開示されている特定の電極組立体は、実質的に酸素不透過性のアノードを含む。従って、酸素は、アノードの活物質とほとんど又はまったく反応することができない。
【００１０】
図１Ａを参照すれば、電極組立体１０は、ガス拡散層（Ｇａｓ  Ｄｉｆｆｕｓｉｏｎ  Ｌａｙｅｒ：ＧＤＬ）１２と、ＧＤＬ１２と接触しているカソード１４と、カソード１４と接触しているセパレータ１６と、セパレータ１６と接触しているアノード１８と、を含む。その他の例においては、これらの要素は、互いに接触している必要はない。例えば、更なる層又は空間により、ＧＤＬ１２とカソード１４などを分離することができる。ＧＤＬ１２は、酸素をカソード１４まで導くためのマニホルドとして機能している。その厚さは、３００〜２０００ミクロンの範囲をとることができる。カソード１４は、この例においては、隣接するセパレータ１６及びアノード１８までのイオンの搬送を許容すると共に粒子２０間におけるガスの搬送を許容するその表面上に電解質２１の被覆を有する所定質量の電気的に接続された粒子２０を含む。又、カソード１４は、埋め込まれた展伸金属集電器２２も含む。従って、カソード１４は、ＧＤＬ１２からの酸素が粒子２０と相互作用することを許容するべく、触媒性と多孔性を有する。その厚さは、１００〜３００ミクロンの範囲をとることができる。セパレータ１６は、電解質の通過を許容するべく多孔性を有しており、且つ、カソード１４をアノード１８から絶縁するべく誘電性を有している。一例においては、セパレータ１６は、多数の小さなビア２３を有するポリマーである。その厚さは、５０ミクロン未満であってもよい。又、当然のことながら、その他の組立体構成も、可能である。
【００１１】
アノード１８は、伝導性マトリクス２４を含む。伝導性マトリクス２４は、この例においては、亜鉛粒子、アルミニウム粒子、リチウム粒子などのような接続された（例えば、溶合された、焼結された、圧縮された）活物質粒子２６と、活物質２６と接触していると共に／又はこれらの内部に埋め込まれた伝導性ファイバ、伝導性ナノチューブ、グラファイト粉、金属粉、伝導性ポリマー、金属ウィスカー、圧縮された金属ファイバ、金属フェルト、炭素フェルトなどのような伝導性構造２８と、粒子２６及び任意のその副産物の相対運動を制約する活物質２６（並びに、以下において詳述される活物質２６の酸化に伴う任意の生成物）上のイオン透過性ポリマー（例えば、変性ポリスチレンやパーフルオロスルホン酸など）又は金属酸化物などのガス不透過性イオン透過性外皮３０と、を含む。伝導性マトリクス２４は、この例においては、電解質２１中に浸漬されている。又、アノード１８は、活物質２６と接触している金属フォイル、展伸金属などの集電器３４も含む。
【００１２】
例えば、シートの代わりに活物質粒子２６を使用することにより、所与の質量の活物質において増大した表面積が得られる。この結果、相対的に大きな電流密度と、相対的に小さな運動抵抗力と、がもたらされる。更には、外皮３０の裂け目は、粒子２６のうちの特定の粒子のみを、即ち、裂け目と関連する局所的な質量に含まれている粒子２６のみを、酸素に対して曝露させることになろう。その他の外皮によって取り囲まれているアノード１８の質量は、影響を受けることにならないであろう。
【００１３】
図１Ｂ及び図１Ｃを参照すれば、放電の際に、集電器２２、３４に対して電気的に接続された端子（図示せず）に跨って電気的負荷（図示せず）を配置することができる。ＧＤＬ１２からの空気は、カソード１４のみならず、恐らくは、セパレータ１６及びアノード１８も通じて流れる。空気からの酸素が、触媒粒子２０上の水と反応してヒドロキシルイオンを形成し、これらのヒドロキシルイオンは、次いで、セパレータ１６を通じて、電解質２１を介して、外皮３０まで移動する。次いで、これらのイオンは、外皮３０を通じて拡散すると共に活物質２６と反応して電子を放出し、これらの電子は、活物質２６及び／又は伝導性構造２８を介して集電器３４まで移動すると共に中間金属水酸化物（図示せず）も形成し、この中間金属水酸化物は、次いで、金属酸化物２６’に変換され、これにより、水を放出する。
【００１４】
活物質２６の酸化により、金属酸化物２６’を、まずは、それぞれの活物質粒子２６の最外側領域内に形成することが可能であり、次いで、放電時間の継続に伴って、内向きに形成することができる。金属酸化物２６’は、非伝導性であってもよく、且つ、従って、集電器３４に至る伝導性経路から電子を隔離することが可能であることから、伝導性構造２８は、金属酸化物２６’を通じた電子の移動用の更なる伝導性経路を提供することができる。
【００１５】
充電の際に、集電器２２、３４に対して電気的に接続された端子（図示せず）に跨って電源（図示せず）を配置することができる。電源からの電子は、集電器３４を通じて、これと接触している金属酸化物２６’まで移動する。或いは、この代わりに、電子の移動は、集電器３４を通じて活物質２６及び／又は伝導性構造２８まで発生することもできる。電子は、金属酸化物２６’を還元して活物質２６を生成し（即ち、充電し）、活物質は、水が存在している場合に、ヒドロキシルイオンを放出する。これらのイオンは、（アノード１８及びセパレータ１６内の）電解質２１を通じてカソード１４まで移動し、この際に、水酸化物イオンは、適切な触媒が存在する場合に、酸化され、酸素ガス（図示せず）と水を生成する。水酸化物の酸化により、電子が放出され、これらの電子は、展伸金属集電器２２に、且つ、次いで、電流源を介してアノード集電器３４に、電気的に伝導される。この結果、電気的且つ電気化学的な回路が完成することになる。
【００１６】
金属酸化物２６’が、それ自体、十分な伝導性を有する場合には、或いは、金属酸化物２６’が、サブミクロンの炭素粒子などのドーパント又は伝導性添加物と十分に混合されている場合には、伝導性構造２８を省略することができる。或いは、この代わりに、アノード１８への空気の侵入を低減するべく、多孔性セパレータ１６をイオン伝導性のメンブレインによって置換することもできる。その他の例においては、ＧＤＬ１２及び触媒２０の伝導性の変形を組み合わせることにより、空気の通過を許容すると共に集電機能及びイオン接触も提供する触媒によって被覆されたＧＤＬ（図示せず）を形成することができる。
【００１７】
被覆された伝導性マトリクス２４は、ａ）集電器３４に装着された適切な多孔性マトリクスを実現するための伝導性構造２８及びフォイル集電器３４を伴う金属粒子２６の焼結と、これに後続するイオン透過性ポリマースキン３０の熱可塑性フォームの槽中における高温浸漬による残留細孔内における電解質２１の通過を依然として許容する焼結金属粒子２６の被覆、ｂ）集電器３４に装着された適切な多孔性マトリクスを実現するための伝導性構造２８及びフォイル集電器３４を伴う金属粒子２６の焼結と、これに後続するイオン透過性ポリマースキン３０の溶剤分散体中における浸漬及び後続の溶剤の蒸発による残留細孔内における電解質２１の通過を依然として許容する焼結金属粒子２６の被覆、ｃ）集電器３４に装着された適切な多孔性マトリクスを実現するための伝導性構造２８、フォイル集電器３４、及びポリフッ化ビニリデンなどの適切な結合剤を伴う金属粒子２６の高温プレス圧延と、これに後続するイオン透過性ポリマースキン３０の溶剤分散体中における浸漬及び後続の溶剤の蒸発による残留細孔内における電解質２１の通過を依然として許容する焼結金属粒子２６の被覆、ｄ）イオン透過性ポリマースキン３０の溶剤分散体を伴う金属粒子２６及び伝導性構造２８の事前被覆及び後続の溶剤の蒸発と、その後の相対的に柔らかなアイオノマが別途にプレスされると共に粒子２６及び伝導性構造２８の少なくとも一部分が互いに直接的に物理的接触を実行しつつ、結果的に電解質２１及び水酸化物イオンの通過用の開放細孔を依然として残すようなフォイル３４又は展伸金属集電器を伴う活性質量のロールミリング、或いは、ｅ）アイオノマ３０の溶剤分散体を伴う金属粒子２６及び伝導性構造２８の事前被覆及び後続の溶剤の蒸発と、その後の相対的に柔らかいアイオノマが別途にプレスされると共に粒子２６、伝導性構造２８、及び集電器が互いに電気的接触を実行しつつ、任意の開放細孔が閉鎖されるような且つイオン伝導性及び水の管理がアイオノマによってのみ維持されるような展伸金属集電器を伴う活性質量のロールミリング、を含むいくつかの方法のうちの任意の方法によって製造することができる。更には、これらの方法は、実質的に放電された状態にあると共に、次いで、侵入するガスに対する活性質量の保護を提供する好適な構造を実現するための形成ステップを通じて処理される電極を実現するべく、酸化された金属、バインダ、伝導性構造、アイオノマ、又は電解質の混合物によって始まるように適合させることもできる。
【００１８】
以上において例として記述されているものなどのその他の電極コンポーネントとの組合せにおけるアノード１８は、フラットパック、ボタン、ボビン、バイポーラなどを含む様々な電池構成において使用することができる。例えば、図２を参照すれば、金属空気電池３６は、複数の穿孔４２を含む端部部分４０を有する伝導性キャニスタ３８と、複数の穿孔４６を有し、且つ、端部部分４０の反対側のキャニスタ３８の端部に圧接した状態において封止された非伝導性キャップ４４と、電池３６の中心軸に沿って配設されると共に端部部分４０からキャップ４４を通じて延在するアノード端子ポスト４８と、を含む。
【００１９】
電極組立体１０は、アノード１８の集電器３４（図１）がポスト４８に接触するように、ポスト４８の周りにおいて螺旋に巻回されている（ゼリーロール状になっている）。電極組立体１０は、ほぼ３回にわたって巻回されるものとして示されている。但し、任意の適切な数の巻回を使用することができる。更には、カソード１４の集電器２２（図１）は、金属タブやワイヤなどを介して、キャニスタ３８と電気的に接続されている。それぞれが複数の穿孔５６、５８を含む非伝導性スペーサ５２、５４が、それぞれ、ゼリーロール１０の機械的安定性を提供しつつ、スペーサ５２、５４と、次いで、ゼリーロール１０を通じた空気の通過を許容するべく、電極組立体１０の端部部分において位置決めされている。穿孔４２、４６、５６、５８は、図１を参照して説明した電気化学反応を促進するべく、ガスが金属空気電池３６を通じて流れることを許容する。又、更に詳細に後述するように、穿孔４２、４６、５６、５８は、電極組立体１０内へのガスの略均一な且つ／又は渦巻く流れを促進するように構成することもできる。
【００２０】
図２の構成は、ポスト４８が、まず、カソード１４によって包まれ、これにより、ポスト４８において正の端子が設けられるように、反転させることもできる。或いは、この代わりに、キャニスタ３８は、伝導性を有してもよく、且つ、クリンプ封止されたポリマー又はガラス金属封止により、ポスト４８をキャニスタ３８から隔離することもできる。又、その他の構成も可能である。例えば、ポスト４８を電池３６の中心軸などに沿って配設する必要はない。
【００２１】
図３を参照すれば、金属空気電池１３６は、端部部分１４０を有する伝導性キャニスタ１３８と、端部部分１４０の反対側のキャニスタ１３８の端部に圧接した状態において封止された非伝導性キャップ１４４と、電池１３６の中心軸に沿って配設されると共に端部部分１４０からキャップ１４４を通じて延在するアノード端子ポスト１４８と、を含む。又、電池１３６は、アノード１１８の集電器（図示せず）がポスト１４８及び電極組立体１１０の端部部分において又はその近傍において位置決めされた非伝導性スペーサ１５２、１５４に接触するように、ポスト１４８の周りにおいて螺旋に巻回された電極組立体１１０も含む。図２の電池３６とは異なり、電池１３６は、この例においては、電極組立体１１０とスペーサ１５４の間に配設された金属有機骨格化合物又は所定量の高圧縮酸素を有する高圧容器などの内部酸素供給源１６０を含む。その他の例においては、酸素の供給源１６０は、任意の望ましい場所において配設することができよう。例えば、酸素の供給源は、電極組立体１１０とスペーサ１５２の間などに配置することができよう。酸素の供給源１６０は、名称が示唆しているように、図１を参照して説明した電気化学反応用の酸素の供給源である。
【００２２】
図４を参照すれば、穿孔４６は、キャップ４４を中心とした３つからなるグループとして半径方向に配列されている。但し、任意の適切な穿孔の配列を使用することができる。一例として、図５を参照すれば、金属空気電池２３６は、それらを通じた垂直方向の空気の流れを促進するように構成された複数の通路２４６を有する非伝導性キャップ２４４を含む。別の例として図６及び図７を参照すれば、金属空気電池３３６は、空気が、例えば、強制的な対流下において進入するのに伴って空気の渦及び混合を誘発するように構成された複数の開口部又はダクト３４６を有する端部部分３４０を含む。開口部又はダクトは、その他の例においては、キャップ及び／又はキャニスタの側壁部分上において位置決めすることができる。試験やシミュレーションなどを使用することにより、最適な開口部の構成を判定することができる。その他のコンポーネントのガス通路も、望ましい性能を実現するべく、同様に最適化することができる。
【００２３】
図８を参照すれば、金属空気電池システム４６２は、金属空気電池４３６との流体連通状態にある加圧ガス（又は、酸素）供給源４６４を含むことができる。空気供給源４６４は、望ましい性能を実現するべく、選択可能なレートにおいて電池４３６を通じて空気を強制移動させるように構成されている。電池４３６は、その他の例においては、空気を電池４３６を通じて選択可能なレートで引き込むように構成された空気シンク（図示せず）を有するように構成することができる。又、その他の構成も可能である。中程度のレベルの性能は、受動的に拡散された空気を供給源及び非強制的空気流として使用することによって実現することができるが、強制的な空気の対流は、放電の際の空気カソード触媒粒子における反応のための酸素化学量論を増大させることにより、或いは、充電プロセスにおいて形成される酸素を希釈することにより、電流密度を改善すると共に分極を低下させることができる。
【００２４】
以上、例示用の実施形態について説明したが、これらの実施形態は、特許請求の範囲に含まれるすべての可能な形態を説明することを意図したものではない。本明細書において使用されている文言は、限定ではなく、説明を目的とした文言であり、本開示の精神及び範囲を逸脱することなしに、様々な変更を実施することができることを理解されたい。上述のように、様々な実施形態の特徴を組み合わせることにより、明示的に記述又は図示されていないこともある本発明の更なる実施形態を形成することができる。様々な実施形態は、１つ又は複数の望ましい特性との関係においてその他の実施形態又は従来技術の実装形態よりも利点を提供する又は好ましいものとして記述されている場合があるが、当業者であれば、１つ又は複数の特徴又は特性を折衷することにより、特定の用途及び実装に依存する望ましい全体的なシステム属性を実現することができることを認識するであろう。これらの属性は、限定を伴うことなしに、費用、強度、耐久性、ライフサイクルコスト、市場性、外観、包装、サイズ、サービス性、重量、製造性、組立の容易性などを含むことができる。従って、１つ又は複数の特性との関係においてその他の実施形態又は従来技術の実装形態よりも望ましくないと記述されている実施形態も、本開示の範囲に含まれており、且つ、特定の用途においては、望ましいものとなろう。
【図１Ａ】
2015525457.tif 000003
【図１Ｂ】
2015525457.tif 000004
【図１Ｃ】
2015525457.tif 000005
【図２】
2015525457.tif 000006
【図３】
2015525457.tif 000007
【図４】
2015525457.tif 000008
【図５】
2015525457.tif 000009
【図６】
2015525457.tif 000010
【図７】
2015525457.tif 000011
【図８】
2015525457.tif 000012
【国際調査報告】
2015525457.tif 000013